(57)【要約】【課題】  冷蔵庫を解体する前に、真空断熱材の設置場所および枚数を確実に把握できて、真空断熱材を効率よく取り外すことができ、解体の作業効率を向上できる冷蔵庫を提供することにある。【解決手段】  扉２の内側には、第１の表示部１１が設けられている。冷蔵庫本体１の外側には、第２の表示部１２が設けられている。上記第１の表示部１１は、真空断熱材３の位置および枚数を表示している。上記第２の表示部１２は、上記真空断熱材３の使用および上記第１の表示部１１の位置を表示している。【選択図】  図２
2006207942.tif 000002
【特許請求の範囲】
【請求項１】
冷蔵庫本体および扉の少なくとも一方に内蔵されている真空断熱材と、
上記扉の内側に設けられると共に、上記真空断熱材の位置および枚数を表示している第１の表示部と、
上記冷蔵庫本体の外側に設けられると共に、上記真空断熱材の使用および上記第１の表示部の位置を表示している第２の表示部と
を備えることを特徴とする冷蔵庫。
【請求項２】
請求項１に記載の冷蔵庫において、
上記扉の内側に設けられると共に、上記第１の表示部を含む第３の表示部を備えることを特徴とする冷蔵庫。
【請求項３】
請求項１に記載の冷蔵庫において、
上記冷蔵庫本体の外側に設けられると共に、上記第２の表示部を含む第４の表示部を備えることを特徴とする冷蔵庫。
【請求項４】
請求項１に記載の冷蔵庫において、
上記真空断熱材が内蔵されている上記冷蔵庫本体または上記扉の外壁は、上記真空断熱材を位置決めする位置決め部を有し、
この位置決め部は、上記外壁の外面が凹みつつ上記外壁の内面が突出することで形成されていることを特徴とする冷蔵庫。
【発明の詳細な説明】
【技術分野】
【０００１】
この発明は、例えば、冷蔵庫本体および扉の少なくとも一方に真空断熱材を内蔵している冷蔵庫に関する。
【背景技術】
【０００２】
従来より、冷蔵庫は、ウレタン断熱材と真空断熱材とを併用している（特開平１０−２０５９９５号公報：特許文献１参照）。そして、この冷蔵庫を、リサイクル等を目的として、解体する場合、上記真空断熱材を分別して取り外す必要がある。すなわち、上記ウレタン断熱材を粉砕処理する前に、上記真空断熱材を取り外す必要がある。
【０００３】
しかしながら、上記従来の冷蔵庫では、上記真空断熱材の設置場所はわからないので、冷蔵庫の外郭の鋼板を全て剥がさなければ、全ての真空断熱材を取り外すことができず、解体の作業の効率を下げていた。
【特許文献１】特開平１０−２０５９９５号公報
【発明の開示】
【発明が解決しようとする課題】
【０００４】
そこで、この発明の課題は、冷蔵庫を解体する前に、真空断熱材の設置場所および枚数を確実に把握できて、真空断熱材を効率よく取り外すことができ、解体の作業効率を向上できる冷蔵庫を提供することにある。
【課題を解決するための手段】
【０００５】
上記課題を解決するため、この発明の冷蔵庫は、
冷蔵庫本体および扉の少なくとも一方に内蔵されている真空断熱材と、
上記扉の内側に設けられると共に、上記真空断熱材の位置および枚数を表示している第１の表示部と、
上記冷蔵庫本体の外側に設けられると共に、上記真空断熱材の使用および上記第１の表示部の位置を表示している第２の表示部と
を備えることを特徴としている。
【０００６】
この発明の冷蔵庫によれば、上記扉の内側に上記第１の表示部を設けているので、傷や汚れの付きにくい場所に、細かな情報（複雑な意匠）を表示しており、視認性に優れている。
【０００７】
また、上記冷蔵庫本体の外側に上記第２の表示部を設けているので、傷や汚れの付きやすい場所に、大まかな情報（単純な意匠）を表示しており、この情報（表示内容）の識別が容易になる。すなわち、冷蔵庫の外側から一見して、真空断熱材の有無を判断できる。
【０００８】
このように、冷蔵庫を解体する前に、真空断熱材の有無を見落とすことなく、さらに、真空断熱材の位置および枚数を確実に把握できて、真空断熱材を効率よく取り外すことができる。
【０００９】
また、上記扉に上記第１の表示部を設け、上記冷蔵庫本体に上記第２の表示部を設けているので、上記冷蔵庫本体と上記扉とが分離していても、この冷蔵庫に真空断熱材が使用されていることがわかるため、冷蔵庫を解体するときに、真空断熱材を確実に分別することができる。
【００１０】
また、一実施形態の冷蔵庫では、上記扉の内側に設けられると共に、上記第１の表示部を含む第３の表示部を備えている。
【００１１】
この一実施形態の冷蔵庫によれば、上記第３の表示部に、上記第１の表示部の情報以外の他の情報を表示することができる。言い換えると、上記第１の表示部の情報を、上記第３の表示部によって、他の情報と併記することができて、表示部の生産性を損なわず、コストの上昇を抑えることができる。
【００１２】
また、一実施形態の冷蔵庫では、上記冷蔵庫本体の外側に設けられると共に、上記第２の表示部を含む第４の表示部を備えている。
【００１３】
この一実施形態の冷蔵庫によれば、上記第４の表示部に、上記第２の表示部の情報以外の他の情報を表示することができる。言い換えると、上記第２の表示部の情報を、上記第４の表示部によって、他の情報と併記することができて、表示部の生産性を損なわず、コストの上昇を抑えることができる。
【００１４】
また、一実施形態の冷蔵庫では、上記真空断熱材が内蔵されている上記冷蔵庫本体または上記扉の外壁は、上記真空断熱材を位置決めする位置決め部を有し、この位置決め部は、上記外壁の外面が凹みつつ上記外壁の内面が突出することで形成されている。
【００１５】
この一実施形態の冷蔵庫によれば、上記位置決め部の位置を、冷蔵庫の外側からみて、上記外壁の外面の凹みで判断できる。すなわち、この外壁の外面の凹みによって、上記真空断熱材の位置を確実に判断できて、解体の作業効率を向上できる。
【発明の効果】
【００１６】
この発明の冷蔵庫によれば、上記扉の内側に上記第１の表示部を設け、上記冷蔵庫本体の外側に上記第２の表示部を設けているので、冷蔵庫を解体する前に、真空断熱材の設置場所および枚数を確実に把握できて、真空断熱材を効率よく取り外すことができ、解体の作業効率を向上できる。
【発明を実施するための最良の形態】
【００１７】
以下、この発明を図示の実施の形態により詳細に説明する。
【００１８】
（第１の実施形態）
図１は、この発明の冷蔵庫の一実施形態である斜視図を示している。この冷蔵庫は、冷蔵庫本体１と扉２とを有する。この冷蔵庫本体１は、上側から順に、冷蔵室５、野菜室６および冷凍室７を有する。上記扉２は、冷蔵室５、野菜室６および冷凍室７のそれぞれに、設けられている。
【００１９】
図２の横断面図に示すように、上記冷蔵室５の部分で、上記冷蔵庫本体１は、真空断熱材３およびウレタン断熱材４を使用している。すなわち、上記冷蔵庫本体１は、外壁１ａと、内壁１ｂと、上記外壁１ａと上記内壁１ｂとの間に内蔵（充填）されている上記真空断熱材３および上記ウレタン断熱材４とを備える。
【００２０】
上記真空断熱材３は、上記冷蔵庫本体１の左右側部のそれぞれに、位置している。上記真空断熱材３は、上記冷蔵庫本体１の外壁１ａに接するように、上記ウレタン断熱材４に埋設されている。
【００２１】
一方、上記扉２は、上記ウレタン断熱材４のみを使用している。すなわち、上記扉２は、外壁２ａと、内壁２ｂと、上記外壁２ａと上記内壁２ｂとの間に内蔵（充填）されている上記ウレタン断熱材４とを備える。
【００２２】
上記真空断熱材３は、例えば、芯材と、この芯材を収納し内部を減圧状態に維持できる外包材とを備える。この芯材は、連続気泡合成樹脂フォームからなる板状材料と、無機繊維及び／又は有機繊維からなる繊維状材料との積層体である。なお、上記芯材は、上記板状材料または上記繊維状材料の何れか一方のみであってもよい。一方、上記ウレタン断熱材４は、例えば、発泡ウレタン（硬質ウレタンフォーム）からなる。
【００２３】
上記扉２の内側（上記内壁２ｂの外面）には、第１の表示部１１が設けられている。すなわち、上記第１の表示部１１は、上記冷蔵室５内にある。
【００２４】
上記冷蔵庫本体１の外側（上記外壁１ａの外面）には、第２の表示部１２が設けられている。すなわち、上記第２の表示部１２は、上記冷蔵庫本体１の背面に位置している。
【００２５】
上記第１の表示部１１は、図３に示すように、上記真空断熱材３の位置および枚数を表示している。具体的に述べると、冷蔵庫の正面、裏面および左右側面を図示し、この冷蔵庫の図面に上記真空断熱材３をハッチングにて図示している。すなわち、上記真空断熱材３は、冷蔵庫の左右側部のそれぞれに、縦方向に２枚配置されている。このように、上記第１の表示部１１の表示内容は、傷や汚れが付くと識別できないような細かな情報（複雑な意匠）である。
【００２６】
上記第２の表示部１２は、図４に示すように、上記真空断熱材３の使用および上記第１の表示部１１の位置を表示している。具体的に述べると、上記真空断熱材３の使用を、「真空断熱材使用」の文字にて表示し、上記第１の表示部１１の位置を、「使用場所及び枚数は冷蔵室ドア内側に表示しています」の文字にて表示している。このように、上記第２の表示部１２の表示内容は、傷や汚れが付いても識別できるような大まかな情報（単純な意匠）である。
【００２７】
上記第１の表示部１１および上記第２の表示部１２は、ラベル等のシール材によって形成されている。なお、上記冷蔵庫本体１および上記扉２の外面に、直接に、刻印や塗料を施すことによって、上記第１の表示部１１および上記第２の表示部１２を形成してもよい。
【００２８】
次に、この冷蔵庫を、リサイクル等を目的として、解体する場合を説明する。
【００２９】
まず、上記第２の表示部１２により、上記真空断熱材３の存在と上記第１の表示部１１の位置とを確認する。このとき、上記冷蔵庫本体１の外側にある上記第２の表示部１２に傷や汚れが付いていても、上記第２の表示部１２の表示内容は大まかな情報であるので、この情報を容易に識別できる。
【００３０】
その後、上記第１の表示部１１の位置の確認に基づいて、上記扉２を開け、上記第１の表示部１１により、上記真空断熱材３の位置および枚数を確認する。このとき、上記扉２の内側は傷や汚れが付きにくい場所であるので、上記第１の表示部１１の細かな表示内容を確実に識別できる。
【００３１】
そして、作業者は、上記真空断熱材３の位置および枚数の確認に基づいて、上記真空断熱材３を、効率よく、取り外すことができる。
【００３２】
上記構成の冷蔵庫によれば、上記扉２の内側に上記第１の表示部１１を設けているので、傷や汚れの付きにくい場所に、細かな情報（複雑な意匠）を表示しており、視認性に優れている。
【００３３】
また、上記冷蔵庫本体１の外側に上記第２の表示部１２を設けているので、傷や汚れの付きやすい場所に、大まかな情報（単純な意匠）を表示しており、この情報（表示内容）の識別が容易になる。すなわち、冷蔵庫の外側から一見して、上記真空断熱材３の有無を判断できる。
【００３４】
このように、冷蔵庫を解体する前に、上記真空断熱材３の有無を見落とすことなく、さらに、上記真空断熱材３の位置および枚数を確実に把握できて、上記真空断熱材３を効率よく取り外すことができる。
【００３５】
また、上記扉２に上記第１の表示部１１を設け、上記冷蔵庫本体１に上記第２の表示部１２を設けているので、上記冷蔵庫本体１と上記扉２とが分離していても、この冷蔵庫に上記真空断熱材３が使用されていることがわかるため、この冷蔵庫を解体するときに、上記真空断熱材３を確実に分別することができる。
【００３６】
なお、比較例として、上記第２の表示部１２を設けずに、上記第１の表示部１１を、上記冷蔵庫本体１や上記扉２の外側に設けた場合、傷や汚れによって、上記第１の表示部１１は、見えにくくなって、視認性に劣る。もちろん、上記第１の表示部１１を、上記冷蔵庫本体１や上記扉２の内側に設けた場合、上記真空断熱材３の存在さえ、判別できない。
【００３７】
要するに、本発明では、所定の表示内容を適所に配置する（つまり、表示内容と表示位置とを巧妙に組み合わせる）ことで、視認性を向上している。すなわち、傷や汚れが付いても識別できるような表示内容を、上記第２の表示部１２として、傷や汚れが付きやすい上記冷蔵庫本体１の外側に設けている。一方、傷や汚れが付くと識別できないような表示内容を、第１の表示部１１として、傷や汚れが付きにくい上記扉２の内側に設けている。
【００３８】
（第２の実施形態）
図５は、この発明の冷蔵庫の第２の実施形態を示している。上記第１の実施形態と相違する点を説明すると、この第２の実施形態では、図１に示す上記扉２の内側に、上記第１の表示部１１を含む第３の表示部１３が設けられている。
【００３９】
上記第３の表示部１３は、上記第１の表示部１１の情報以外の他の情報を表示している。この他の情報とは、例えば、冷蔵庫の性能や、使用上の注意等である。
【００４０】
このように、上記第１の表示部１１の情報を、上記第３の表示部１３によって、他の情報と併記することができて、生産性を損なわず、コストの上昇を抑えることができる。
【００４１】
（第３の実施形態）
図６は、この発明の冷蔵庫の第３の実施形態を示している。上記第１の実施形態と相違する点を説明すると、この第３の実施形態では、図１に示す上記冷蔵庫本体１の外側に、上記第２の表示部１２を含む第４の表示部１４が設けられている。
【００４２】
上記第４の表示部１４は、上記第２の表示部１２の情報以外の他の情報を表示している。この他の情報とは、例えば、使用上の注意等である。
【００４３】
このように、上記第２の表示部１２の情報を、上記第４の表示部１４によって、他の情報と併記することができて、生産性を損なわず、コストの上昇を抑えることができる。
【００４４】
（第４の実施形態）
図７Ａと図７Ｂは、この発明の冷蔵庫の第４の実施形態を示している。上記第１の実施形態と相違する点を説明すると、この第４の実施形態では、上記真空断熱材３が内蔵されている上記冷蔵庫本体１の上記外壁１ａは、上記真空断熱材３を位置決めする４つの位置決め部１０を有する。上記４つの位置決め部１０は、それぞれ、上記真空断熱材３の四隅の外側に位置している。すなわち、上記４つの位置決め部１０は、それぞれ、上記真空断熱材３よりも大きな仮想四角形の四隅の外側に設けられている。そして、上記４つの位置決め部１０は、上記真空断熱材３を固定し、または、上記真空断熱材３を上記外壁１ａに貼り付ける目安になる。
【００４５】
上記位置決め部１０は、上記外壁１ａの外面が凹みつつ上記外壁１ａの内面が突出することで形成されている。上記位置決め部１０は、例えば、上記外壁１ａをプレス加工することにより形成されている。
【００４６】
このように、上記位置決め部１０の位置を、冷蔵庫の外側からみて、上記外壁１ａの外面の凹みで判断できる。すなわち、この外壁１ａの外面の凹みによって、上記真空断熱材３の位置を確実に判断できて、解体の作業効率を向上できる。
【００４７】
また、上記位置決め部１０を、上記第１の表示部１１、上記第２の表示部１２、上記第３の表示部１３および上記第４の表示部１４の内の少なくとも一つと組み合わせてもよく、上記第１〜上記第３の実施形態で説明したような効果が得られるとともに、上記真空断熱材３の位置を、上記外壁１ａの外面の凹みによって、さらに明確にできるため、一層解体の作業性が向上する。
【００４８】
なお、上記位置決め部１０を、上記仮想四角形（上記真空断熱材３）の対角の外側に、２つ設けてもよい。または、上記位置決め部１０を、上記仮想四角形（上記真空断熱材３）の一辺の両角の外側に、２つ設けてもよい。または、上記位置決め部１０を、上記仮想四角形（上記真空断熱材３）の一つの角の外側に、１つ設けてもよい。
【００４９】
したがって、上記位置決め部１０を上記対角の外側に設けた場合、上記対角の内側に上記真空断熱材３があることがわかり、上記凹みの数量を少なく抑えても、上記真空断熱材３の位置が明確になると共に、上記凹みの数量を少なく抑えられるため、外観を損なうことも少なくなる。また、上記位置決め部１０を上記一辺の両側に設けた場合は、上記凹みの間の一方に上記真空断熱材３の存在がわかり、上述と同様の効果が得られる。また、上記位置決め部１０を上記一つの角の外側に一つ設けた場合、上記真空断熱材３の存在の目安になると共に、さらに、上記凹みが少なくなって、外観性が向上する。
【００５０】
また、上記位置決め部１０の形状は、平面視、角括弧形状（カギ形状）である。つまり、上記位置決め部１０は、上記仮想四角形（上記真空断熱材３）の隣接する辺に沿った両端部を有しているので、上記位置決め部１０の形状によって、上記真空断熱材３の貼り付け方向や、上記真空断熱材３の位置を、容易に判断できる。なお、上記位置決め部１０は、互いに相違する方向に延びている一端部および他端部を有していればよく、上記位置決め部１０の形状は、略円弧状であってもよい。
【００５１】
また、上記位置決め部１０の端縁は、丸味を有しており（Ｒ形状であり）、加工性や仕上がりが向上する。また、上記位置決め部１０の形状は、平面視、円形、長円形または楕円形であってもよい。したがって、上記真空断熱材３の位置決めになると共に、同時に、上記真空断熱材３の存在の判断は、上記位置決め部１０の形状がカギ形状である場合に比べて、低くなるが、上記真空断熱材３の存在はわかるので、解体の作業性の向上に役立つ。
【００５２】
また、上記位置決め部１０の断面形状は、半円形、台形、または、半円形と台形との組み合わせであってもよく、上記真空断熱材３の位置が判明すればよい。
【００５３】
また、上記位置決め部１０の上記外壁１ａの内面への突出寸法は、上記真空断熱材３の厚みよりも小さく、冷蔵庫の外観上、問題がない。上記真空断熱材３の厚みよりも上記位置決め部１０の突出寸法を小さくすることにより、上記真空断熱材３の外側の部位を構成する（図示しない）外包材の庫内側の面と、上記外壁１ａとの間に、上記ウレタン断熱材４がより厚く得られ、上記外包材への上記冷蔵庫本体１の外側からの熱の伝達量を下げることができるようになって、断熱効率が向上する。また、上記位置決め部１０の突出寸法を小さくできて、外観的に、一層見栄えがよくなる。なお、上記突出寸法は、２ｍｍ以下が好ましい。
【００５４】
また、上記位置決め部１０と上記真空断熱材３との間には、隙間を有しており、上記真空断熱材３を上記位置決め部１０の内側に配置するときの作業性が向上する。特に、上記真空断熱材３と上記位置決め部１０との間の最大の隙間を５ｍｍ以上にする（例えば、上記位置決め部１０の頂点と上記真空断熱材３との距離を５ｍｍ以上にする）と、上記ウレタン断熱材４を上記隙間に確実に充填することができて、この隙間での断熱性が増す。このように、上記真空断熱材３の上記ウレタン断熱材４側の面への断熱性が増し、性能が向上する。
【００５５】
なお、この発明は上述の実施形態に限定されない。例えば、上記扉２にも、上記真空断熱材３を設けてもよい。また、上記扉２のみに、上記真空断熱材３を設けてもよい。また、上記扉２に上記真空断熱材３を設けた場合、上記扉２の外壁２ａに上記真空断熱材３を位置決めする位置決め部を設けてもよい。また、上記真空断熱材３の枚数を増減してもよい。また、第１の表示部１１および上記第２の表示部１２の数量、または、上記第３の表示部１３および上記第４の表示部１４の数量を、増減してもよい。
【図面の簡単な説明】
【００５６】
【図１】本発明の冷蔵庫の一実施形態を示す斜視図である。
【図２】冷蔵庫の横断面図である。
【図３】第１の表示部の正面図である。
【図４】第２の表示部の正面図である。
【図５】第３の表示部の正面図である。
【図６】第４の表示部の正面図である。
【図７Ａ】冷蔵庫の他の実施形態を示す側面図である。
【図７Ｂ】図７ＡのＢ−Ｂ断面図である。
【符号の説明】
【００５７】
１    冷蔵庫本体
１ａ    外壁
１ｂ    内壁
２    扉
２ａ    外壁
２ｂ    内壁
３    真空断熱材
４    ウレタン断熱材
５    冷蔵室
６    野菜室
７    冷凍室
１０    位置決め部
１１    第１の表示部
１２    第２の表示部
１３    第３の表示部
１４    第４の表示部
【図１】
2006207942.tif 000003
【図２】
2006207942.tif 000004
【図３】
2006207942.tif 000005
【図４】
2006207942.tif 000006
【図５】
2006207942.tif 000007
【図６】
2006207942.tif 000008
【図７Ａ】
2006207942.tif 000009
【図７Ｂ】
2006207942.tif 000010